(57)【要約】      （修正有）【課題】内容物が一杯のときはアウタースリーブからインナーカートンを引き出して必要量だけ振り出すことができ、また内容物が少なくなったときはインナーカートンのみで使用できる振り出し容器を提供する。【解決手段】インナーカートンＡは、筒状に成形された本体部１０と、可動の蓋部とからなり、前記本体部と、可動の蓋部の間に切離し得るミシン目、折り目などを有する切取連結手段１２，１３を設け、かつ可動の蓋部７ａ，７ｂは、内容物が少なくなると上方に折り曲げて、本体部を封緘できるように形成し、本体部の一端に可動の蓋部を係止できるロック片を突設させて構成する。【選択図】図１
0003153166.tif 000002
【実用新案登録請求の範囲】
【請求項１】
アウタースリーブとアウタースリーブに差し込んだインナーカートンとからなる振り出し容器であって、
インナーカートンは、筒状に成形された本体部と、可動の蓋部とからなり、前記本体部と、可動の蓋部の間に切離し得るミシン目、折り目などを有する切取連結手段を有し、
かつ可動の蓋部は、内容物が少なくなると上方に折り曲げて、本体部を封緘できるように形成され、本体部の一端に可動の蓋部を係止できるロック片が突設されていることを特徴とする振り出し容器。
【請求項２】
前記インナーカートンは、短冊状の底板1、左右側板２，３、天板４、接着片５を折り目線を介して一方向に連接するとともに、底板１の四周に左右の側板２、３と前後の端板６ａ、７ａとを立ち上げ、その内側に折込片８ａ、８ｂと９ａ，９ｂを折って、端板６ｂ、７ｂを端板６ａ、７ａに接着し、天板４とのりしろとなる接着片５を接着し、さらに底板1には本体部１０側とキャップ１１側とに二分することができる屈曲自在の折り目１2を設け、その延長上の両側板２，３には、ミシン目等の切取部１3からなる破断手段を形成したことを特徴とする請求項１に記載のスライド式振り出し容器
【考案の詳細な説明】
【技術分野】
【０００１】
本考案はインナーカートンをアウタースリーブから所定位置まで引き出すと振り出し口が開口して内容物を必要量だけ振り出すことができ、且つ内容物が少なくなったときは、インナーカートンのみで使用し、再封ができる振り出しカートンに関するものである。
【背景技術】
【０００２】
従来から、例えばガム等の粒状の菓子食品を入れて、スリーブを引き出して内容物を振り出した後、再封して繰り返し使用することができる２ピースタイプの振り出しカートンは、たとえば下記特許文献等により知られている。
【先行技術文献】
【特許文献】
【０００３】
【特許文献１】実開平７−２２９１２号公報
【特許文献２】特開２００６−１６１７号公報
【特許文献３】特開２００５−１７０３９１号公報
【考案の概要】
【考案が解決しようとする課題】
【０００４】
しかし上記２ピースタイプの振り出しカートンは内容物が少なくなると、アウタースリーブからインナーカートンを一々引き出すことが面倒であるとともに、インナーカートン内に無駄なスペースができる。
【０００５】
最近、図６、図７に示すように、内容物のガムやキャラメル等商品が少なくなったらインナーカートンを半分に折り畳むことできるようにした振り出しカートンが提案されている。
しかし、このものはカートンを半分に折った状態で再封ロックすることができなかった。また、このカートンは内容物が半分以下になるまではカートンを折り畳むことができなかった。
【０００６】
本考案は、上述の問題点を解決するものであり、内容物が一杯のときはアウタースリーブからインナーカートンを引き出して必要量だけ振り出すことができ、また内容物が少なくなったときはインナーカートンのみで使用できる。そして、インナーカートンの上部を再封（リクローズ）してロックすることができるようにしたものである。
【０００７】
上記課題を解決するため、本考案は、筒状に形成されたアウタースリーブと、このアウタースリーブに差し込んだ下記構造のインナーカートンとからなっている。
すなわちこのインナーカートンは、筒状に成形された保形性の高い本体部と、可動の蓋部とからなっていて、
可動の蓋部は、底板、左右側板、及び端板により箱型に形成されて内容物が少なくなると上方に折り曲げて、本体を封緘することができ、本体の一端に可動の蓋部を係止できるロック片が形成されている。
【考案の効果】
【０００８】
本考案のカートンは、アウタースリーブからインナーカートンを引き出すことで粒状の商品を取り出すことができる。そしてカートンは内容物が少なくなったときは、アウタースリーブは廃棄し、インナーカートンのみで使用できる。
その場合に、インナーカートンは筒形に形成されているので保形性が良好で、かつインナーカートンはリクローズ性を有し容易に開封されない機能を有している。
【図面の簡単な説明】
【０００９】
【図１】図１は角筒状に形成されたアウタースリーブと、このアウタースリーブに差し込んで使用するインナーカートンの斜視図である。
【図２】図２は図１のインナーカートンをスライドさせ、内容物を取り出す開封時の斜視図である。
【図３】図３はインナーカートンの上部の蓋を折り畳む状態を示した斜視図である。
【図４】図４はインナーカートンの上部の蓋を再封ロックした状態の斜視図である。
【図５】図５はインナーカートンＡとアウタースリーブＢの展開図である。
【図６】図６は従来例のインナーカートンの展開図
【図７】図６のカートンを半分に折り畳んだ状態の斜視図である。
【考案を実施するための形態】
【００１０】
（実施例）
図５は、本考案で使用するインナーカートンＡとアウタースリーブＢのフラットブランクの展開図である。
【００１１】
先ずインナーカートンＡについて説明する。符号１〜４はサック貼りされる４枚の短冊状の板であり、折り目線を介して一方向に連接する。
機能的に述べると、１が底板、２と３は側板、４は天板である。５がのりしろとなる接着片である。
本実施例では、底板１と両側板２，３は、天板4や接着片5よりも右方に大きく延びるように形成されている。そして６ａと６ｂはその底板１の一端側に連接した内外の端板、７ａ，７ｂは反対側の端部に連接した内外の端板である。また、８ａ，８ｂは側板２、３の一端側に連接した折込片、９ａ，９ｂは側板２、３の反対側の端部に連接した折込片である。
【００１２】
図３に示すように、インナーカートンＡの左半部はサック貼りされた角筒状本体部１０となり、保形性に優れている。そして、右半部は残りの底板、左右側板、及び端板により箱型に形成されているため、上面が開放された引き出し状の箱となる。この引き出し状の箱は、本体部のキャップ（蓋）１１として使用できるようになっている。
本体部側の天板４の一端に、後記のようにキャップ（蓋）１１を係止できるロック片１５が突設されている。
【００１３】
なお、筒状本体部１０とキャップ（蓋）１１との間には次のような切取連結手段１４が形成されている。まず底板1には本体部１０側とキャップ１１側とに二分することができる屈曲自在の折り目１2を設け、その延長上の両側板２，３には、ミシン目等の切取部１3からなる破断手段を形成する。
【００１４】
つぎにアウタースリーブＢについて説明する。
アウタースリーブは折り目線を介し一方向に４枚の短冊状の外面板２１〜２４を順次連設し、前記の４枚の各板を連繋して角筒状に形成し、前記インナーカートンの外ケースとして使用することができるようなっている。図において符号２５が糊代片である。
【００１５】
上記のようなインナーカートンＡのブランクを組立てた後、カートン内に粒状の菓子食品を入れ、図１及び図２のようにリクローズして繰り返し使用することができる。
以下、本実施例の組立て法を簡単に説明する。
【００１６】
インナーカートンＡは、底板１の四周に左右の側板２、３と前後の端板６ａ、７ａとを立ち上げ、その内側に折込片８ａ、８ｂと９ａ，９ｂを折って、端板６ｂ、７ｂを端板６ａ、７ａに接着する。次に、天板４とのりしろとなる接着片５を接着してインナーカートンＡを組み立てる。
アウタースリーブＢは、４枚の各板２１〜２４を角筒状に形成して、前記インナーカートンの外側に巻きつけることで、符号２５の糊代片と２４の外面板を接着し、外ケースとして使用する。
【００１７】
このように、インナーカートンＡとアウタースリーブＢは、簡単に内外一体に組み立てられることとなる。
そして、インナーカートンをアウタースリーブから所定位置まで引き出すと振り出し口が開口して、内容物を振り出すことができる。
【００１８】
内容物が少なくなったときは、図3のようにインナーカートンＡのみで使用できる。この場合、インナーカートンは図4のように再封しロックすることができる。すなわち内容物が少なくなった場合、両側板２、3を切取部１3から切断する。次に、底板1を折り目１２より折り曲げ、可動のキャップ（蓋）１１の部分を上方に折り曲げ（図３）、本体部側の天板４より突設したロック片１５に係止して固定するのである（図４）。
【００１９】
このように、インナーカートンは蓋を閉めた状態でロックできるので、容易に開封できなくなるものである。
【符号の説明】
【００２０】
Ａ  インナーカートン
Ｂ  アウタースリーブ
１  底板
２，３  側板
４  天板
５  接着片
６ａ、６ｂ、７ａ，７ｂ  端板
８ａ，８ｂ，９ａ，９ｂ  折込片
９  係止突起
１０  筒状本体部
１１  キャップ（蓋）
１２  折り目
１３  切取部
１４  連結
２１〜２４  外面板
２５  糊代片
【図１】
0003153166.tif 000003
【図２】
0003153166.tif 000004
【図３】
0003153166.tif 000005
【図４】
0003153166.tif 000006
【図５】
0003153166.tif 000007
【図６】
0003153166.tif 000008
【図７】
0003153166.tif 000009
【手続補正書】
【提出日】平成21年6月23日(2009.6.23)
【手続補正１】
【補正対象書類名】実用新案登録請求の範囲
【補正対象項目名】請求項２
【補正方法】変更
【補正の内容】
【請求項２】
前記インナーカートンは、短冊状の底板1、左右側板２，３、天板４、接着片５を折り目線を介して一方向に連接するとともに、前記底板1の一端と反対側の端部に内外の端板６ａ、６ｂ及び端板７ａ、７ｂをそれぞれ設け、また左右側板２，３の一端と反対側の端部に折込片８ａ、８ｂと折込片９ａ，９ｂをそれぞれ連設し、
底板１の四周に左右の側板２、３と前後の端板６ａ、７ａとを立ち上げ、その内側に折込片８ａ、８ｂと９ａ，９ｂを折って、端板６ｂ、７ｂを端板６ａ、７ａに接着し、天板４とのりしろとなる接着片５を接着し、さらに底板1には本体部１０側とキャップ１１側とに二分することができる屈曲自在の折り目１2を設け、その延長上の両側板２，３には、ミシン目等の切取部１3からなる破断手段を形成したことを特徴とする請求項１に記載の振り出し容器